(57)【要約】【課題】  背部に衝撃力が加わった場合にリクライニングの回転規制（ロック）部位に加わる力が小さくなるようにする。回転規制部位のガタツキが背部に伝わる際に十分に小さくなるようにして、着座者の不快感を軽減する。【解決手段】  ベースアーム１と、ベースアーム１に回転可能に基部２２を支持され、基部２２と異なる部位に座部ベース３を支持する座部支持部２３を有し、基部２２と異なる部位に回転規制を受けるロック受部２４を有する背部ベース２と、背部ベース２の座部支持部２３により回転可能に後部を支持され、背部ベース２の回転に連動して移動する座部ベース３と、座部ベース３又はベースアーム１に設けられたロック第１部材４１と、背部ベース２のロック受部２４に連繋されるロック第２部材４２を有し、両部材の係合により背部ベース２を回転規制するロック機構４とを有するシート装置。【選択図】      図１
2009297164.tif 000002
【特許請求の範囲】
【請求項１】
床に取り付けられるベースアームと、
前記ベースアームの後部により回転可能に基部を支持され、前記基部と異なる部位に座部ベースを支持するための座部支持部を有し、前記基部と異なる部位にロック機構による回転規制を受けるロック受部を有する背部ベースと、
前記背部ベースの座部支持部により回転可能に後部を支持され、前記背部ベースの正逆回転に連動して前後移動する座部ベースと、
前記座部ベース又は前記ベースアームに設けられたロック第１部材と、前記背部ベースのロック受部に連繋されるロック第２部材とを有し、前記ロック第１部材とロック第２部材との係合により前記背部ベースを回転規制するロック機構と、
を有することを特徴とするシート装置。
【請求項２】
床に取り付けられるベースアームと、
前記ベースアームの後部により回転可能に基部を支持され、前記基部より下方の部位に座部ベースを支持するための座部支持部を有し、前記基部と異なる部位にロック機構による回転規制を受けるロック受部を有する背部ベースと、
前記ベースアームの前部により回転可能に下端部を支持され、上端部に座部ベースとの連結部を有するリンク板と、
前記背部ベースの座部支持部により回転可能に後部を支持されるとともに前記リンク板の連結部に前部を連結されて回転可能に支持されることにより、前記背部ベースの正逆回転に連動して前後移動する座部ベースと、
前記座部ベース又は前記ベースアームに設けられたロック第１部材と、前記背部ベースのロック受部に連繋されるロック第２部材とを有し、前記ロック第１部材とロック第２部材との係合により当該係合時の両部材の相対的位置関係で決まる角度にて前記背部ベースを回転規制するロック機構と、
を有することを特徴とするシート装置。
【請求項３】
請求項２に於いて、
前記ロック第２部材は、前記背部ベースのロック受部により基端部を回転可能に支持され、回転時には前記座部ベースに設けられたガイドにより先端部を案内されて変移し、中間部に複数のロック孔を有するロックプレートであり、
前記ロック第１部材は、前記座部ベースにより揺動可能に基端部を支持され、先端部に前記ロックプレートのロック孔に係合可能なロック突起を有する揺動部材である、
ことを特徴とするシート装置。
【請求項４】
請求項３に於いて、
前記ガイドは、当該ガイドにより先端部を案内されて変移する前記ロックプレートの座部ベースに対する傾斜角度が略一定となるように設定されている、
ことを特徴とするシート装置。
【請求項５】
請求項３又は請求項４に於いて、
前記ガイドは、前記座部ベースに形成された長孔であり、
前記ロックプレートは、その先端部から突出された突起を前記長孔に挿通されてガイドされる、
ことを特徴とするシート装置。
【請求項６】
請求項２〜請求項５の何れかに於いて、
前記ロック受部は、前記座部支持部より下方の部位に設けられている、
ことを特徴とするシート装置。
【請求項７】
請求項２に於いて、
前記ロック第１部材は、前記ベースアームにより回転可能に支持されるとともに回転中心から順に遠ざかるように複数の係合凹部が並設されたロックレバーであり、
前記ロック第２部材は、前記ロックレバーの係合凹部に係合可能な棒状又は筒状の係合突出部を有するロック連繋部材であり、
前記背部ベースの正逆回転に伴うロック受部の正逆変移により前記ロック連繋部材の係合突出部の係合相手となる前記ロックレバーの係合凹部が決まることにより、前記背部ベースの回転規制時の角度が決まる、
ことを特徴とするシート装置。
【請求項８】
請求項７に於いて、
前記ベースアームは、前記背部ベースの正逆回転に伴うロック受部の正逆変移により前記ロック第２部材の係合突出部が描く移動軌跡に沿う長孔を有し、
前記ロック連繋部材の係合突出部は、前記長孔を貫通して前記ロックレバーの係合凹部に係合し、前記長孔の長手方向両端の縁部により移動範囲を規制される、
ことを特徴とするシート装置。
【請求項９】
請求項７に於いて、
前記座部ベースは、その後部に設けられた孔に、前記背部ベースの座部支持部から突出された棒状又は筒状の支持突出部を挿通されることにより、前記背部ベースにより回転可能に支持され、
前記背部ベースは、前記基部とは異なる部位にロック受部として設けられたロック受孔に、前記ロック連繋部材から当該背部ベースの方向へ突出された棒状又は筒状の連繋突出部を挿通されることにより、前記ロック連繋部材と連繋され、
前記背部ベースの座部支持部と前記ロック受部として設けられたロック受孔とが兼用されるとともに、前記ロック連繋部材の連繋突出部が前記背部ベースの座部支持部から突出される支持突出部として兼用される、
ことを特徴とするシート装置。
【発明の詳細な説明】
【技術分野】
【０００１】
本発明は、リクライニング機能を備えたシート装置に関し、例えば、車両用のシートに適用可能なシート装置に関する。
【背景技術】
【０００２】
車両用シートのリクライニング機構としては、例えば、特開２００７−２３６６６４号公報等に記載された装置を挙げることができる。
ただし、この公報を含む従来の公報に記載の技術は、本願の技術とは、根本的に異なっている。
【特許文献１】特開２００７−２３６６６４号公報。
【発明の開示】
【発明が解決しようとする課題】
【０００３】
従来のリクライニング機構では、リクライニングの回転中心と、その回転を規制するための部位とが同じであるため、背部に衝撃力が加わると、大きな衝撃力が回転規制部位に加わるという問題があり、強度を確保するために、リクライニング機構の軽量化が困難であるという問題があった。
本発明は、リクライニングをロックして回転を規制する部位を、リクライニング動作における背部の回転中心から離れた部位とすることにより、背部に衝撃力が加わった場合に回転規制部位に加わる力が衝撃力より小さくなるようにすることを目的とする。また、これにより、軽量化を達成することを目的とする。
【０００４】
また、従来のリクライニング機構では、背部を倒す／起こす動作と、座部を前進／後退させる動作を連動させることができなかった。
本発明は、背部を倒す／起こす動作と、座部を前進／後退させる動作とを、簡単な機構で実現できるようにすることを目的とする。
【０００５】
また、従来のリクライニング機構では、リクライニングの回転中心と、その回転を規制するための部位とが同じであるため、回転規制部位の部材間にガタツキがあると、そのガタツキが背部につたわり、着座者に不快感を与えるという問題があった。
本発明は、リクライニングをロックする回転規制部位の複数の部材間のガタツキが、背部に伝わるときに十分に小さくなるようにして、着座者の不快感を十分に軽減することを目的とする。
【課題を解決するための手段】
【０００６】
本発明を、下記［１］〜［９］に記述する。
なお、この項で用いる符号は理解を容易にするためであり、本発明の構成を符号の構成に限定する趣旨ではない。次項（「発明の効果」の項）についても同様とする。
［１］構成１：
床に取り付けられるベースアーム１と、
前記ベースアーム１の後部により回転可能に基部２２を支持され、前記基部２２と異なる部位に座部ベース３を支持するための座部支持部２３を有し、前記基部２２と異なる部位にロック機構４による回転規制を受けるロック受部２４を有する背部ベース２と、
前記背部ベース２の座部支持部２３により回転可能に後部を支持され、前記背部ベース２の正逆回転に連動して前後移動する座部ベース３と、
前記座部ベース３又は前記ベースアーム１に設けられたロック第１部材４１と、前記背部ベース２のロック受部２４に連繋されるロック第２部材４２とを有し、前記ロック第１部材４１とロック第２部材４２との係合により前記背部ベース２を回転規制するロック機構４と、
を有することを特徴とするシート装置。
【０００７】
［２］構成２：
床に取り付けられるベースアーム１と、
前記ベースアーム１の後部により回転可能に基部２２を支持され、前記基部２２より下方の部位に座部ベース３を支持するための座部支持部２３を有し、前記基部２２と異なる部位にロック機構４による回転規制を受けるロック受部２４を有する背部ベース２と、
前記ベースアーム１の前部により回転可能に下端部５１を支持され、上端部５３に座部ベース３との連結部５３０を有するリンク板５と、
前記背部ベース２の座部支持部２３により回転可能に後部を支持されるとともに前記リンク板５の連結部５３０に前部を連結されて回転可能に支持されることにより、前記背部ベース２の正逆回転に連動して前後移動する座部ベース３と、
前記座部ベース３又は前記ベースアーム１に設けられたロック第１部材４１と、前記背部ベース２のロック受部２４に連繋されるロック第２部材４２とを有し、前記ロック第１部材４１とロック第２部材４２との係合により当該係合時の両部材４１，４２の相対的位置関係で決まる角度にて前記背部ベース２を回転規制するロック機構４と、
を有することを特徴とするシート装置。
【０００８】
［３］構成３：
構成２に於いて、
前記ロック第２部材４２は、前記背部ベース２のロック受部２４により基端部４２２を回転可能に支持され、回転時には前記座部ベース３に設けられたガイド３４により先端部４２３を案内されて変移し、中間部に複数のロック孔４２４，４２４を有するロックプレート４２０であり、
前記ロック第１部材４１は、前記座部ベース３により揺動可能に基端部４１３を支持され、先端部４１４に前記ロックプレート４２０のロック孔４２４，４２４に係合可能なロック突起４１４０を有する揺動部材４１０である、
ことを特徴とするシート装置。
【０００９】
［４］構成４：
構成３に於いて、
前記ガイド３４は、当該ガイド３４により先端部４２３を案内されて変移する前記ロックプレート４２０の座部ベースに対する傾斜角度が略一定となるように設定されている、
ことを特徴とするシート装置。
【００１０】
［５］構成５：
構成３又は構成４に於いて、
前記ガイド３４は、前記座部ベース３に形成された長孔３４０であり、
前記ロックプレート４２０は、その先端部４２３から突出された突起６４３を前記長孔３４０に挿通されてガイドされる、
ことを特徴とするシート装置。
【００１１】
［６］構成６：
構成２〜構成５の何れかに於いて、
前記ロック受部２４は、前記座部支持部２３より下方の部位に設けられている、
ことを特徴とするシート装置。
【００１２】
［７］構成７：
構成２に於いて、
前記ロック第１部材４１は、前記ベースアーム１により回転可能に支持されるとともに回転中心４５０ｃから順に遠ざかるように複数の係合凹部４５４，４５４が並設されたロックレバー４５０であり、
前記ロック第２部材４２は、前記ロックレバー４５０の係合凹部４５４，４５４に係合可能な棒状又は筒状の係合突出部４６４を有するロック連繋部材４６０であり、
前記背部ベース２の正逆回転に伴うロック受部２４の正逆変移により前記ロック連繋部材４６０の係合突出部４６４の係合相手となる前記ロックレバー４５０の係合凹部４５４が決まることにより、前記背部ベース２の回転規制時の角度が決まる、
ことを特徴とするシート装置。
【００１３】
［８］構成８：
構成７に於いて、
前記ベースアーム１は、前記背部ベース２の正逆回転に伴うロック受部２４の正逆変移により前記ロック連繋部材４６０の係合突出部４６４が描く移動軌跡に沿う長孔１６４を有し、
前記ロック連繋部材４６０の係合突出部４６４は、前記長孔１６４を貫通して前記ロックレバー４５０の係合凹部４５４，４５４に係合し、前記長孔１６４の長手方向両端の縁部１６４ａ，１６４ｂにより移動範囲を規制される、
ことを特徴とするシート装置。
【００１４】
［９］構成９：
構成７に於いて、
前記座部ベース３は、その後部に設けられた孔３２に、前記背部ベース２の座部支持部２３から突出された棒状又は筒状の支持突出部４６３を挿通されることにより、前記背部ベース２により回転可能に支持され、
前記背部ベース２は、前記基部２２とは異なる部位にロック受部２４として設けられたロック受孔２４０に、前記ロック連繋部材から当該背部ベース２の方向へ突出された棒状又は筒状の連繋突出部４６３を挿通されることにより、前記ロック連繋部材４６０と連繋され、
前記背部ベース２の座部支持部２３と前記ロック受部２４として設けられたロック受孔２４０とが兼用されるとともに、前記ロック連繋部材４６０の連繋突出部４６３が前記背部ベース２の座部支持部２３から突出される支持突出部４６３として兼用される、
ことを特徴とするシート装置。
【発明の効果】
【００１５】
構成１は、床に取り付けられるベースアーム１と、前記ベースアーム１の後部により回転可能に基部２２を支持され、前記基部２２と異なる部位に座部ベース３を支持するための座部支持部２３を有し、前記基部２２と異なる部位にロック機構４による回転規制を受けるロック受部２４を有する背部ベース２と、前記背部ベース２の座部支持部２３により回転可能に後部を支持され、前記背部ベース２の正逆回転に連動して前後移動する座部ベース３と、前記座部ベース３又は前記ベースアーム１に設けられたロック第１部材４１と、前記背部ベース２のロック受部２４に連繋されるロック第２部材４２とを有し、前記ロック第１部材４１とロック第２部材４２との係合により前記背部ベース２を回転規制するロック機構４とを有することを特徴とするシート装置であるため、背部に衝撃力が加わった場合にロック受部２４に加わる力は、ロック受部が基部２２と同部位に設けられている場合より小さくなる。また、ロック第１部材４１とロック第２部材４２の係合にガタツキがある場合でも、そのガタツキは、基部２２とは異部位のロック受部２４を介して背部に伝わるため、背部でのガタツキは小さくなり、着座者の不快感も軽減される。また、背部ベース２の正逆回転に連動して座部ベース３が前後移動するため、背部の倒し／起しのリクライニング動作に、座部の前後移動を連動させることができる。
【００１６】
構成２は、床に取り付けられるベースアーム１と、前記ベースアーム１の後部により回転可能に基部２２を支持され、前記基部２２より下方の部位に座部ベース３を支持するための座部支持部２３を有し、前記基部２２と異なる部位にロック機構４による回転規制を受けるロック受部２４を有する背部ベース２と、前記ベースアーム１の前部により回転可能に下端部５１を支持され、上端部５３に座部ベース３との連結部５３０を有するリンク板５と、前記背部ベース２の座部支持部２３により回転可能に後部を支持されるとともに前記リンク板５の連結部５３０に前部を連結されて回転可能に支持されることにより、前記背部ベース２の正逆回転に連動して前後移動する座部ベース３と、前記座部ベース３又は前記ベースアーム１に設けられたロック第１部材４１と、前記背部ベース２のロック受部２４に連繋されるロック第２部材４２とを有し、前記ロック第１部材４１とロック第２部材４２との係合により当該係合時の両部材４１，４２の相対的位置関係で決まる角度にて前記背部ベース２を回転規制するロック機構４とを有することを特徴とするシート装置であるため、背部に衝撃力が加わった場合にロック受部２４に加わる力は、ロック受部が基部２２と同部位に設けられている場合より小さくなる。また、ロック第１部材４１とロック第２部材４２の係合にガタツキがある場合でも、そのガタツキは、基部２２とは異部位のロック受部２４を介して背部に伝わるため、背部でのガタツキは小さくなり、着座者の不快感も軽減される。また、背部ベースを支持する基部２２より下方に座部ベースを支持する座部支持部が設けられており、且つ、背部ベース２の正逆回転に連動して座部ベース３が前後移動するため、背部を倒すときに座部が前進し、起こすときに後退する動作を実現できる。
【００１７】
構成３は、構成２に於いて、前記ロック第２部材４２は、前記背部ベース２のロック受部２４により基端部４２２を回転可能に支持され、回転時には前記座部ベース３に設けられたガイド３４により先端部４２３を案内されて変移し、中間部に複数のロック孔４２４，４２４を有するロックプレート４２０であり、前記ロック第１部材４１は、前記座部ベース３により揺動可能に基端部４１３を支持され、先端部４１４に前記ロックプレート４２０のロック孔４２４，４２４に係合可能なロック突起４１４０を有する揺動部材４１０であることを特徴とするシート装置であるため、ロックは背部ベース２と座部ベース３の間で行われる。このため、強度が要求されるベースアーム１にロック機構を構成するための長孔等を形成する必要が無く、強度を確保しやすい。
【００１８】
構成４は、構成３に於いて、前記ガイド３４は、当該ガイド３４により先端部４２３を案内されて変移する前記ロックプレート４２０の座部ベースに対する傾斜角度が略一定となるように設定されていることを特徴とするシート装置であるため、ロックプレート４２０の変移位置にかかわらず、ロック突起４１４０が係合するべきロック孔４２４の両側（前側，後側）の縁面の方向（例：垂直方向）を不変とすることができる。言い換えれば、ロック突起４１４０が、複数のロック孔４２４，４２４の中の何れに係合するかにかかわらず、当該係合するロック孔４２４の両側の縁面を、一定方向（例：垂直方向）に向けることができる。このため、ロック突起４１４０とロック孔４２４の両側の縁面との係合時のガタツキを最小にでき、背部ベース２側へ伝わるガタツキを最小にできる。
【００１９】
構成５は、構成３又は構成４に於いて、前記ガイド３４は、前記座部ベース３に形成された長孔３４０であり、前記ロックプレート４２０は、その先端部４２３から突出された突起４２３０を前記長孔３４０に挿通されてガイドされることを特徴とするシート装置であるため、別体のガイド部材を設けることなくロックプレート４２０の先端部４２３の案内を実現でき、軽量化に寄与できる。
【００２０】
構成６は、構成２〜構成５の何れかに於いて、前記ロック受部２４は、前記座部支持部２３より下方の部位に設けられていることを特徴とするシート装置であるため、ロック第２部材４２の変移量を、座部ベース２の変移量よりも小さくでき、座部ベース２に設けられるガイド３４（長孔３４０）やロック第２部材４２（ロックプレート４２０）を、小型化・軽量化できる。また、基部２２とロック受部２４の距離を十分に大きくとることができるため、背部に衝撃力が加わった場合にロック受部２４に加わる力を、十分に小さくできる。また、ロック第１部材４１とロック第２部材４２との係合にガタツキがある場合でも、そのガタツキを十分に小さくでき、着座者の不快感を十分に軽減できる。
【００２１】
構成７は、構成２に於いて、前記ロック第１部材４１は、前記ベースアーム１により回転可能に支持されるとともに回転中心４５０ｃから順に遠ざかるように複数の係合凹部４５４，４５４が並設されたロックレバー４５０であり、前記ロック第２部材４２は、前記ロックレバー４５０の係合凹部４５４，４５４に係合可能な棒状又は筒状の係合突出部４６４を有するロック連繋部材４６０であり、前記背部ベース２の正逆回転に伴うロック受部２４の正逆変移により前記ロック連繋部材４６０の係合突出部４６４の係合相手となる前記ロックレバー４５０の係合凹部４５４が決まることにより、前記背部ベース２の回転規制時の角度が決まることを特徴とするシート装置であるため、ロックは、床に取り付けられるベースアーム１と背部ベース２との間で行われる。このため、背部のガタツキを十分に抑制でき、着座者の不快感を十分に軽減できる。
【００２２】
構成８は、構成７に於いて、前記ベースアーム１は、前記背部ベース２の正逆回転に伴うロック受部２４の正逆変移により前記ロック連繋部材４６０の係合突出部４６４が描く移動軌跡に沿う長孔１６４を有し、前記ロック連繋部材４６０の係合突出部４６４は、前記長孔１６４を貫通して前記ロックレバー４５０の係合凹部４５４，４５４に係合し、前記長孔１６４の長手方向両端の縁部１６４ａ，１６４ｂにより移動範囲を規制されることを特徴とするシート装置であるため、係合凹部の間隔（ピッチ）を背部ベース２の傾角に合わせることができ、設定が容易である。
【００２３】
構成９は、構成７に於いて、前記座部ベース３は、その後部に設けられた孔３２に、前記背部ベース２の座部支持部２３から突出された棒状又は筒状の支持突出部４６３を挿通されることにより、前記背部ベース２により回転可能に支持され、前記背部ベース２は、前記基部２２とは異なる部位にロック受部２４として設けられたロック受孔２４０に、前記ロック連繋部材から当該背部ベース２の方向へ突出された棒状又は筒状の連繋突出部４６３を挿通されることにより、前記ロック連繋部材４６０と連繋され、前記背部ベース２の座部支持部２３と前記ロック受部２４として設けられたロック受孔２４０とが兼用されるとともに、前記ロック連繋部材４６０の連繋突出部４６３が前記背部ベース２の座部支持部２３から突出される支持突出部４６３として兼用されることを特徴とするシート装置であるため、部品点数を削減でき、コスト低減や軽量化を達成できる。
【発明を実施するための最良の形態】
【００２４】
以下、図面を参照して本発明の実施の形態を説明する。
［１］第１の実施の形態
図１は第１の実施の形態のシート装置の概要を模式的に示す斜視図、図２は主要な部材を分解して示す説明図である。また、図３は主要な部材を組み付けた状態を示す透視図であり、（ａ）は起こした状態、（ｂ）は若干倒した状態を、それぞれ示す。
【００２５】
第１の実施の形態は、構成１〜６に対応する。
図示のシート装置は、ベースアーム１と、背部ベース２と、座部ベース３と、ロック機構４（ロック第１部材４１（揺動部材４１０，カバー４１２，受孔３４４等），ロック第２部材４２（ロックプレート４２０））と、リンク板５を有する。
【００２６】
ベースアーム１は、床（不図示）に取り付けられる。
背部ベース２は、ピン６１２を背部ベース２の基部２２の孔２２０に挿通した後、さらに、ベースアーム１の後部の孔１０２に挿通することにより、ピン６１２を回転の支軸として、ベースアーム１により回転可能に支持される。
【００２７】
座部ベース３の後部は、ピン６２３を座部ベース３の後部の孔３２に挿通した後、さらに、背部ベース２の座部支持部２３の孔２３０に挿通することにより、ピン６２３を回転の支軸として、背部ベース２により回転可能に支持される。なお、座部支持部２３は基部２２よりも下方であるため、床に対する位置が不変の基部２２の孔２２０に挿通したピン６１２を支軸として背部を後方へ倒すと、後述のように座部ベース３の前部がリンク５を介してベースアーム１に支持されているため、座部ベース３は前方へ移動する。
【００２８】
座部ベース３の前部は、リンク板５を介して、ベースアーム１に支持される。
即ち、リンク板５の上部５３の孔５３０に挿通したピン６５３を、座部ベース３の前部の孔３３に挿通することにより、座部ベース３の前部がリンク板５に連結される。このリンク板５の下部５１の孔５１０に、ピン６５１を挿通し、さらに、ベースアーム１の前部の孔１０３に挿通する。これにより、座部ベース３の前部は、リンク板５を介して、ベースアーム１に支持される。
このように前部を支持されているため、前述のように、背部２を後方へ倒すと、座部ベース３は前方へ移動することとなる。なお、リンク板５を用いる機構に代えて、例えばレール等を用いた摺動機構を採用するようにしてもよい。
【００２９】
ロック機構は、ロック第１部材４１とロック第２部材４２を有する。
ロック第１部材４１は、揺動部材４１０、カバー４１２、ロック受孔３４４、解除レバー４１９、スプリング（不図示）等で構成される。
カバー４１２は、座部ベース３の側面（一点鎖線枠で示す部位）に取り付けられる。
揺動部材４１０は、カバー４１２を覆うようにして、ピン６４１０等を用いて、カバー４１２の上部に揺動可能に取り付けられる。この揺動部材４１０には、不図示のスプリングにより、常時、先端部（下端部）４１４側をカバー４１２側へ押しつける付勢力が与えられている。このため、揺動部材４１０の先端部４１４から奥側へ折り返して形成された係合爪４１４０は、カバー４１２の挿通孔４１２４、さらに、ロックプレート４２０（後述）の係合孔４２４を貫通して、座部ベース３のロック受孔３４４に挿通され、これにより、ロック状態となる。
このロック状態に於いて、スプリング（不図示）の付勢力に抗して、揺動部材４１０の先端部（下端部）４１４側をカバー４１２から離す方向（手前側）へ変移させると、係合爪４１４０が、ロック受孔３４４、係合孔４２４、挿通孔４１２４から離脱して、ロックが解除される。このロック解除操作は、例えば、解除レバー４１９により、揺動部材４１０の舌部４１１を上方へ持ち上げる等して実現することができる。
【００３０】
ロック第２部材４２は、ロックプレート４２０で構成される。
ロックプレート４２０の後部は、ピン６４２をロックプレート４２０の後部の孔４２２に挿通し、さらに、背部ベース２のロック受部２４の孔２４０に挿通することにより、ピン６４２を回転の支軸として、背部ベース２により回転可能に支持されている。なお、ロック受部２４は、基部２２よりも下方であり、且つ、座部支持部２３よりも下方であるため、床に対する位置が不変の基部２２の孔２２０に挿通したピン６１２を支軸として背部を後方へ倒すと、後述のようにロックプレート４２０の前部が座部ベース３のガイド長孔３４０により摺動可能に支持されているため、ロックプレート４２０は前方へ移動するとともに、その移動量は、座部ベース３の移動量よりも小さくなる。
【００３１】
ロックプレート４２０の前部は、ピン６４３を孔４２３に挿通し、さらに、ガイド長孔３４０に挿通することにより、ガイド長孔３４０に沿ってガイド長孔３４０内を摺動可能なようにして、座部ベース３により支持されている。
このように前部を支持されているため、前述のように、背部２を後方へ倒すと、ロックプレート４２０は前方へ移動することとなる。
なお、ロックプレート４２０は、その中間部（係合孔４２４，４２４，が形成されている部分）が、前述のカバー４１２と座部ベース３の側面との間隙に挿通されるようにして設けられる。
【００３２】
このロックプレート４２０は、係合孔４２４，４２４，の前後の内壁面が常に略鉛直方向を向くように、設定されている。換言すれば、前述した前後移動時に於いて、ロックプレート４２０の傾斜角（座部ベース３に対する傾斜角）が変動しないように、設定されている。このため、ロック時には、揺動部材の係合爪４１４０の前後の外壁面全域が、係合孔４２４の前後の内壁面全域に当接することとなり、良好なロック強度を得られる。
このような設定は、ロックプレート４２０の取付位置、さらには、ガイド長孔３４０の形成部位や形状を工夫することにより実現することができる。
【００３３】
第１の実施の形態のシート装置は以上のような構成であるため、背部に衝撃力が加わった場合にロック受部２４に加わる力が小さくなる。また、ロック第１部材４１とロックプレート４２０の係合にガタツキがある場合でも、そのガタツキは、基部２２より十分に下方部位のロック受部２４を介して背部に伝わるため、背部でのガタツキは小さくなり、着座者の不快感も軽減される。また、背部ベース２を支持する基部２２より下方に座部ベース３を支持する座部支持部２３が設けられており、且つ、背部ベース２の正逆回転に連動して座部ベース３が前後移動するため、背部を倒すときに座部が前進し、起こすときに後退する動作を実現できる。
また、ロックは背部ベース２と座部ベース３の間で行われる。このため、強度が要求されるベースアーム１にロック機構を構成するための長孔等を形成する必要が無く、強度を確保しやすい。
また、ロックプレート４２０の変移量を座部ベース２の変移量よりも小さくでき、座部ベース３に設けられるガイド長孔３４０やロックプレート４２０を、小型化・軽量化できる。また、基部２２とロック受部２４の距離を十分に大きくとることができるため、背部に衝撃力が加わった場合にロック受部２４に加わる力を、十分に小さくできる。また、ロック第１部材４１とロックプレート４２０との係合にガタツキがある場合でも、そのガタツキを十分に小さくでき、着座者の不快感を十分に軽減できる。
【００３４】
［２］第２の実施の形態
図４は第２の実施の形態のシート装置の概要を模式的に示す斜視図、図５は主要な部材を分解して示す説明図である。
【００３５】
第２の実施の形態は、構成１〜２、７〜９に対応する。
図示のシート装置は、ベースアーム１と、背部ベース２と、座部ベース３と、ロック機構４（ロック第１部材４１（ロックレバー４５０等），ロック第２部材４２（ロック連繋部材４６０，長孔１６４））と、リンク板５を有する。
以下、第１の実施の形態と異なる点を中心に説明する。
【００３６】
第１の実施の形態では、背部ベース２と座部ベース３を、ロック機構４（ロック第１部材４１，ロック第２部材４２）でロックしていたのに対して、第２の実施の形態では、背部ベース２とベースアーム１とを、ロック機構４（ロック第１部材４１，ロック第２部材４２）でロックする。
【００３７】
即ち、ロック連繋部材（ピン）４６０の奥側突出部４６３を、背部２のロック受部２４に設けられている孔２４０に挿通するとともに、手前側突出部４６４をベースアーム１の長孔１６４に挿通し、さらに、この手前側突出部１６４を、ロックレバー４５０の係合凹部４５４に係合する。これにより、背部ベース２とベースアーム１とがロックされる。
ここで、ロックレバー４５０は、ピン６４８を用いてベースアーム１により回転可能に支持されており、このロックレバー４５０には、スプリング（不図示）により、常に、係合凹部４５４を連繋部材（ピン）４６０の手前側突出部４６４の方向への付勢する力が与えられている。
【００３８】
図示の例では、ロック連繋部材（ピン）４６０は２本用いられている。手前側のロック連繋部材（ピン）４６０の奥側突出部４６３は、奥側のロック連繋部材（ピン）４６０の奥側突出部４６３よりも長く形成されている。この長く形成されている奥側突出部４６３は、背部ベース２の孔２４０を挿通した後、さらに、座部ベース３の後部の孔３２に挿通されている。つまり、座部ベース３の後部を、背部ベース２により回転可能に支持するための部材として兼用されている。
【００３９】
以上のように構成されている第２の実施の形態のシート装置では、ロックが、床に取り付けられるベースアーム１と背部ベース２との間で行われため、背部のガタツキを十分に抑制でき、着座者の不快感を十分に軽減できる。
また、係合凹部４５４，４５４，，の間隔（ピッチ）を、背部ベース２の傾角に合わせることができ、設定が容易である。
また、上述のように部材を兼用しているため、部品点数を削減でき、コスト低減や軽量化を達成できる。
【図面の簡単な説明】
【００４０】
【図１】第１の実施の形態のシート装置の概要を模式的に示す斜視図。
【図２】図１のシート装置の主要な部材を分解して示す説明図。
【図３】図１のシート装置の主要な部材の組付状態を正面（図１での手前側）から透視して示す説明図であり、（ａ）は背部ベース２を起こした状態、（ｂ）は若干倒した状態を示す。
【図４】第２の実施の形態のシート装置の概要を模式的に示す斜視図。
【図５】図４のシート装置の主要な部材を分解して示す説明図。
【符号の説明】
【００４１】
１  ベースアーム
１６４  長孔
１６４ａ  長孔縁
１６４ｂ  長孔縁
２  背部ベース
２２  基部
２３  座部支持部
２４  ロック受部
２４０  ロック受孔
３  座部ベース
３２  孔
３４  ガイド
３４０  長孔
４  ロック機構
４１  ロック第１部材
４１０  揺動部材
４１３  基端部
４１４  先端部
４１４０  ロック突起
４２  ロック第２部材
４２０  ロックプレート
４２２  基端部
４２３  先端部
４２４  ロック孔
４５０  ロックレバー
４５０ｃ  回転中心
４５４  係合凹部
４６０  ロック連繋部材
４６３  連繋突出部（支持突出部）
４６４  係合突出部
５  リンク板
５１  下端部
５３  上端部
５３０  連結部
【図１】
2009297164.tif 000003
【図２】
2009297164.tif 000004
【図３】
2009297164.tif 000005
【図４】
2009297164.tif 000006
【図５】
2009297164.tif 000007